(57)【要約】【課題】  フェーダの数をチャンネルの数よりも少なくしつつ、所望のチャンネルの調整を可能とする。【解決手段】  パラメータに従って可聴周波数信号を処理するチャンネル２−１乃至２−３２よりも少ない数のフェーダ８−１乃至８−１６が設けられている。フェーダ８−１乃至８−１６は、それぞれが複数のチャンネルに対応し、パラメータを発生する。各フェーダ８−１乃至８−１６に対応して選択スイッチ１２−１乃至１２−３２が設けられ、それぞれが対応する複数のチャンネルのうちいずれかを指示する。これら選択スイッチ１２−１乃至１２−３２のうち操作されたものを検出部２４が検出し、検出された選択スイッチに対応するフェーダが発生するパラメータを、操作された選択スイッチに対応するチャンネルに供給するようにアサイン部２６が割り当てを行う。【選択図】        図１
2008177646.tif 000002
【特許請求の範囲】
【請求項１】
パラメータに従って可聴周波数信号を処理する複数のチャンネルと、
前記各チャンネルよりも少ない数だけ設けられ、それぞれが複数の前記チャンネルに対応し、前記パラメータを発生する複数の操作子と、
前記各操作子に対応して設けられ、それぞれの前記操作子が対応する複数の前記チャンネルのうちいずれかを指示する選択手段と、
これら選択手段のうち前記指示を行ったものに対応する前記操作子が発生する前記パラメータを、前記指示されたチャンネルに供給する制御手段とを、
具備するオーディオミキサ。
【請求項２】
請求項１記載のオーディオミキサにおいて、前記各選択手段は、前記操作子ごとに複数設けられた選択子を有し、これら選択子は、前記各チャンネルに対応し、前記制御手段は、前記選択子のうち操作されたものに対応する前記操作子が発生する前記パラメータを、操作された前記選択子に対応する前記チャンネルに供給する
オーディオミキサ。
【請求項３】
請求項２記載のオーディオミキサにおいて、前記各操作子は、一列に配置され、前記各操作子にそれぞれ対応する複数の選択子は、前記各操作子の配列方向と交差する方向に、操作子ごとに配列されているオーディオミキサ。
【請求項４】
請求項２記載のオーディオミキサにおいて、前記各操作子に対応する前記複数の選択子のうち割り当てようとする前記チャンネルに対応するものを操作することによって、前記各操作子をいずれの前記チャンネルに割り当てるかを指示する指示データが、予め設定され、この設定された指示データに従って、前記制御手段が、指示された前記チャンネルに前記各操作子を一括して割り当てるオーディオミキサ。
【請求項５】
請求項２記載のオーディオミキサにおいて、前記制御手段は、
前記各選択子のうちいずれが操作されたか検出する検出手段と、
この検出手段の検出結果に基づいて、操作された前記選択子に対応する前記チャンネルに、操作された選択子に対応する前記操作子を割り当てる割り当て手段とを、
具備するオーディオミキサ。
【発明の詳細な説明】
【技術分野】
【０００１】
本発明は、オーディオミキサに関し、特に操作子の各チャンネルへの割り当てに関する。
【背景技術】
【０００２】
一般に、オーディオミキサは、複数のチャンネルを有し、各チャンネルに入力されたオーディオ信号の周波数特性やレベル等を調整した後、ミキシングする。各チャンネルでの周波数特性やレベル等の調整は、各チャンネルに対応して設けた操作子をミキサーマンが操作して行う。そのため、チャンネルごとに操作子を設けなければならず、操作子が設けられるコンソールが大型になる。この点を改善するための技術が例えば特許文献１に開示されている。
【０００３】
特許文献１の技術では、チャンネルの総数よりも少ない複数の操作子が設けられている。複数のレイヤーに対応して、レイヤー選択スイッチが設けられている。各レイヤーでは、各操作子にチャンネルが割り当てられているが、レイヤーごとに、各操作子には異なるチャンネルが割り当てられている。レイヤー選択スイッチによって１つのレイヤーが選択されると、選択されたレイヤーに基づいて、各操作子がチャンネルに割り当てられる。例えば４８チャンネルのミキサにおいて、操作子が１２個設けられている場合、第１のレイヤーにおいて、第１乃至第１２の操作子にチャンネル１乃至１２を割り当て、第２のレイヤーにおいて、第１乃至第１２の操作子にチャンネル１３乃至２４を割り当て、第３のレイヤーにおいて、第１乃至第１２の操作子にチャンネル２５乃至３６を割り当て、第４のレイヤーにおいて、第１乃至第１２の操作子にチャンネル３７乃至４８を割り当てる。従って、レイヤーを切り換えることによって、同じ操作子によって異なるチャンネルの周波数特性やレベル等の調整を行うことができる。例えば第１の操作子は、第１のレイヤーが選択されているとき、チャンネル１を調整することができ、第２のレイヤーが選択されているとき、チャンネル１３を調整することができ、第３のレイヤーが選択されているとき、チャンネル２５を調整することができる。
【０００４】
【特許文献１】特開２００５−３２８３７２号公報
【発明の開示】
【発明が解決しようとする課題】
【０００５】
特許文献１の技術によれば、操作子の数を減少させることができるが、異なるレイヤーに属するチャンネルを同時に調整することができない。例えば、第１のレイヤーに属するチャンネル１と、第２のレイヤーに属するチャンネル２０とを同時に調整することができない。
【０００６】
本発明は、操作子の数を減少させつつ、所望のチャンネルの調整を可能としたオーディオミキサを提供することを目的とする。
【課題を解決するための手段】
【０００７】
本発明の一態様のオーディオミキサは、パラメータに従って可聴周波数信号を処理する複数のチャンネルを有している。これらチャンネルよりも少ない数の操作子が設けられている。各操作子はいずれもが複数のチャンネルに対応し、前記パラメータを発生する。各操作子に対応して選択手段が設けられている。各選択手段は、対応する前記操作子が対応する複数のチャンネルのうちいずれかを指示する。これら選択手段のうち前記指示を行ったものに対応する前記操作子が発生する前記パラメータを、制御手段が、前記指示されたチャンネルに供給する。
【０００８】
このように構成されたオーディオミキサでは、或る選択手段に対応する操作子が、予め定められた複数のチャンネルのうちいずれにパラメータを供給するかの指示を前記或る選択手段が与える。このようにして各操作子がパラメータを供給するチャンネルが決定される。従って、各選択手段によって適切に操作子を選択すれば、所望の複数のチャンネルのパラメータを同時に調整することが可能となる。しかも、操作子の数は、チャンネルの総数よりも少ない状態を維持している。
【０００９】
各選択手段は、操作子ごとに複数設けられた選択子を有するものとできる。この場合、これら選択子は、前記各チャンネルにそれぞれ対応している。制御手段は、前記選択子のうち操作されたものに対応する前記操作子が発生する前記パラメータを、操作された前記選択子に対応する前記チャンネルに供給する。
【００１０】
このように構成されたオーディオミキサでは、全チャンネルにそれぞれ対応するように選択子が設けられており、これら選択子を操作することによって、その選択子に対応する操作子が発生するパラメータが、その選択子に対応するチャンネルに供給される。従って、各操作子のチャンネルへの割り当てが素早く行える。
【００１１】
更に、前記各操作子は、一列に配置されたものとすることができる。この場合、各操作子にそれぞれ対応する複数の選択子は、前記各操作子の配列方向と交差する方向に、操作子ごとに配列されている。
【００１２】
このように構成すると、各操作子と、各チャンネルとの対応関係が明瞭になり、各操作子の各チャンネルへの割り当てが更に容易になる。なお、各選択子に、またはその近傍に、対応するチャンネル名を表示する表示を配置しておけば、更に各チャンネルと操作子との対応関係が明瞭になる。
【００１３】
或いは、各操作子に対応する前記複数の選択子のうち割り当てようとするチャンネルに対応するものを操作することによって、前記各操作子をいずれの前記チャンネルに割り当てるかを指示する指示データが、予め設定され、この設定された指示データに従って、前記制御手段が、指示された前記チャンネルに前記各操作子を一括して割り当てる。この指示データは、内容の異なるものを複数予め設定することもできる。このように複数の指示データを設定する場合には、各指示データに対応した指示データ選択手段を複数設け、いずれかの指示データ選択手段を操作することによって、操作された指示データ選択手段に対応する指示データに基づいて、一括して各操作子を対応するチャンネルに割り当てる事が望ましい。
【００１４】
このように構成すると、指示データに従って、各操作子に予め割り当てられたチャンネルが、一括して割り当てられ、割り当て作業を容易にすることも可能となる。
【００１５】
制御手段は、各選択子のうちいずれが操作されたか検出する検出手段を備えたものとすることができる。この検出手段の検出結果に基づいて、操作された前記選択子に対応する前記チャンネルに、操作された選択子に対応する前記操作子を、制御手段の割り当て手段が割り当てる。
【発明の効果】
【００１６】
以上のように、本発明によれば、設置する必要のある操作子の数は、チャンネル総数よりも少なくした状態を維持したまま、各操作子によって所望のチャンネルの調整が可能である。
【発明を実施するための最良の形態】
【００１７】
本発明の１実施形態のオーディオミキサは、図１の機能ブロック図に示すように構成されている。このオーディオミキサは、複数、例えば３２のチャンネル２−１乃至２−３２を有している。これらチャンネル２−１乃至２−３２は、図２に示すＤＳＰ４が、記憶手段、例えばＲＯＭ６に記憶されたプログラムを実行することによって構成される。これらチャンネル２−１乃至２−３２は、図示していないが、それぞれに入力されたデジタル可聴周波数信号の周波数特性やレベルの調整を行う。この調整は、各チャンネル２−１乃至２−３２に供給されたパラメータによって行う。
【００１８】
これらパラメータは、操作子、例えばフェーダの操作に応じてチャンネル２−１乃至２−３２に与えられる。しかしフェーダは、チャンネル２−１乃至２−３２の合計数３２よりも少ない数、例えばフェーダ８−１乃至８−１６の合計１６しか設けられていない。これは、チャンネル数と同数のフェーダを設けると、フェーダを設置するコンソールが大型になるので、それを防止するためである。これらフェーダ８−１乃至８−１６は、図３に一部のみ示すコンソール１０上に、横一列に配置されている。
【００１９】
チャンネル２−１乃至２−３２よりも総数の少ないフェーダ８−１乃至８−１６を、各チャンネル２−１乃至２−３２のいずれにどのように割り当てるかを決定するために、選択手段、例えば選択子、例えば選択スイッチ１２−１乃至１２−３２が設けられている。これら選択スイッチ１２−１乃至１２−３２の総数は、チャンネル２−１乃至２−３２と同数である。
【００２０】
選択スイッチ１２−１がチャンネル２−１に、選択スイッチ１２−２がチャンネル２−２というように、各選択スイッチ１２−１乃至１２−３２は、各チャンネル２−１乃至２−３２に対応している。選択スイッチ１２−１乃至１２−３２は、図３に示すようにフェーダ８−１乃至８−１６の上方に横２列に、各フェーダ８−１乃至８−１６に対応して１６個ずつ配置されている。即ち、フェーダ８−１乃至８−１６に近い第１列目に選択スイッチ１２−１乃至１２−１６が配置され、フェーダ８−１乃至８−１６から遠い第２列目に、選択スイッチ１２−１７乃至１２−３２が配置されている。
【００２１】
これによって、例えばフェーダ８−１、選択スイッチ１２−１、１２−１７が縦一列に、即ちフェーダ８−１乃至８−１６の配列方向に直角に配置され、フェーダ８−２、選択スイッチ１２−２、１２−１８が縦一列に配置されている。他のフェーダ８−３乃至８−１６、選択スイッチ１２−３乃至１２−１６、１２−１９乃至１２−３２も同様に配置されている。即ち、各選択スイッチ１２−１乃至１２−３２は、各フェーダ８−１乃至８−１６にそれぞれ対応するように横２列に配置されている。
【００２２】
このように同じ縦の列に対応するように配列された２つの選択スイッチとフェーダ、例えば選択スイッチ１２−１、１２−１７とフェーダ８−１とでは、選択スイッチ１２−１が操作されたとき、フェーダ８−１の操作によって生成されるチャンネル用のパラメータが、チャンネル２−１に供給され、選択スイッチ１２−１７が操作されたとき、フェーダ８−１のチャンネル用のパラメータが、チャンネル２−１に供給される。他のフェーダ８−２乃至８−１６と、選択スイッチ１２−２乃至１２−１６、１２−１７乃至１２−３２とにおいても同様である。
【００２３】
また、各選択スイッチ１２−１乃至１２−３２に対応して、スイッチ及び表示部１４−１乃至１４−３２がそれぞれ設けられている。これらスイッチ及び表示部１４−１乃至１４−３２は、各選択スイッチ１２−１乃至１２−３２のそばに配置され、ミュートスイッチ１６、ソロスイッチ１８、信号入力表示器２０、信号歪み表示器２２からなる。ミュートスイッチ１６は、これが対応する選択スイッチが選択したチャンネルから出力信号をオフする際に操作されるもので、ソロスイッチ１８は、これが対応する選択スイッチが選択したチャンネル以外のチャンネルの出力信号をオフする際に操作されるものである。信号入力表示器２０は、これが対応する選択スイッチが選択したチャンネルに信号が入力されている際に点灯するもので、信号歪み表示器２２は、これが対応する選択チャンネルが選択したチャンネルの信号が歪んでいる際に点灯するものである。
【００２４】
これらスイッチ及び表示部１４−１乃至１４−３２も、選択スイッチ１２−１乃至１２−３２のうち操作されたものが選択するチャンネルに割り当てられる。
【００２５】
これらフェーダ８−１乃至８−１６及びスイッチ及び表示部１４−１乃至３２の割り当てを行うために、図１に示すように、各選択スイッチ１２−１乃至１２−３２のうちいずれが操作されたか検出する検出手段、例えば検出部２４が設けられている。検出部２４には、各選択スイッチ１２−１乃至１２−３２が接続されている。検出部２４での検出結果が、割り当て手段、例えばアサイン部２６に供給される。このアサイン部２６には、各フェーダ８−１乃至８−１６からのパラメータが供給され、検出部２４によって操作が検出された選択スイッチに対応するフェーダのパラメータが、操作が検出された選択スイッチが選択するチャンネルに供給される。また、操作が検出された選択スイッチが選択するチャンネルに、選択スイッチに対応するスイッチ及び表示部のスイッチ操作による指示が与えられ、当該チャンネルに信号が入力されているか歪んでいるかに応じて、操作された選択スイッチに対応するスイッチ及び表示部の信号表示器２０、信号歪み表示器２２が点灯する。これら検出部２４及びアサイン２６部は、図２に示すＣＰＵ２８が、ＲＯＭ６に記憶されているプログラムを実行することによって、構成される。
【００２６】
なお、各選択スイッチ１２−１乃至１２−３２の表面には、対応するチャンネル名が表示されており、各フェーダ８−１乃至８−１６を割り当てようとするチャンネルが容易に判明するように構成されている。
【００２７】
ＣＰＵ２８が、図１に示す記憶手段、例えばＲＡＭ３０をワーキングエリアとして使用しながら、検出部２４及びアサイン部２６として行う処理を、図４にフローチャートで示す。
【００２８】
この処理の前提として、各選択スイッチ１２−１乃至１２−３２並びに各スイッチ及び表示部１４−１乃至１４−３２には、番号１乃至３２が順にそれぞれ割り当てられている。この番号は、同時に各チャンネルの番号を表している。また、各フェーダ８−１乃至８−１６にも、１乃至１６の番号が順に割り当てられている。そして、この処理は、選択スイッチ１２−１乃至１２−３２のうちいずれかが操作されたときに開始され、まず操作された選択スイッチの番号ｎが決定される（ステップＳ２）。このステップＳ２が検出部２４に相当する。
【００２９】
次に、番号ｎが１以上１６以下であるか判断する（ステップＳ４）。即ち、操作された選択スイッチが、フェーダ８−１乃至８−１６に近い第一列目に位置するか判断される。この判断の答えがイエスであると、割り当てられるフェーダを指定するポインタｍの値をｎとする（ステップＳ６）。ステップＳ４の判断の答えがノーの場合、ポインタｍの値を、ｎから１６を減算した値とする（ステップＳ８）。即ち、操作された選択スイッチは、第２列目のものであるので、その選択スイッチの番号から１６を減算することによって割り当てるフェーダの番号を決定する。
【００３０】
次に、ポインタｍが指定するフェーダの操作情報でチャンネルｎが制御されるように、ＤＳＰに指示を与える（ステップＳ１０）。次に、操作された選択スイッチｎに対応するスイッチ及び表示部ｎのスイッチ操作に応じて、チャンネルｎが制御されるように、かつ、チャンネルｎの信号状況（信号が入力されているか、歪んでいるか）をスイッチ及び表示部ｎの表示器２０、２２に表示するように、ＤＳＰ４に指示が与えられる（ステップＳ１２）。ステップＳ４乃至Ｓ１２がアサイン部２６に対応する。
【００３１】
このように構成されているので、同じ横の列に存在しない選択スイッチに対応するチャンネル、例えばチャンネル２−１、２−１８を、同時にフェーダ８−１、８−１８によって制御することが可能となる。
【００３２】
なお、図３に示すように、コンソールには、指示データ選択手段、例えばスイッチ３２、３４が設けられており、スイッチ３２が操作されたときには、フェーダ８−１乃至８−１６に、順にチャンネル１２−１乃至１２−１６が割り当てられ、スイッチ３４が操作されたときには、フェーダ８−１乃至８−１６に、順にチャンネル１２−１６乃至１２−３２が割り当てられるように、ＣＰＵ２８がＤＳＰ４に指示を与える。従って、この実施形態のオーディオミキサでは、各選択スイッチ１２−１乃至１２−３２の操作によって各フェーダ８−１乃至８−１６に個別にチャンネルを割り当てることもできるし、スイッチ３２または３４の操作によって、各フェーダ８−１乃至８−１６に一斉に所定のチャンネルを割り当てることもできる。
【００３３】
また、スイッチ３２、３４を利用して、次のように各フェーダ８−１乃至８−１６に所望のチャンネルを割り当てることもできる。即ち、各選択スイッチ１２−１乃至１２−３２の操作によって各フェーダ８−１乃至８−１６に所望のチャンネルを割り当てた状態をＣＰＵ２８がＲＡＭ３０に指示データとして記憶させておく。この指示データは、内容が異なるもの、例えば各フェーダ８−１乃至８−１６に割り当てられたチャンネルが異なるものを、複数、例えば２つ準備する。そして、この２つの指示データの一方をスイッチ３２に対応させ、他方をスイッチ３４に対応させる。そして、スイッチ３２を操作すると、スイッチ３２に対応する指示データに従って、各フェーダ８−１乃至８−１６にチャンネルがそれぞれ割り当てられ、スイッチ３４を操作すると、スイッチ３４に対応する指示データに従って、各フェーダ８−１乃至８−１６にチャンネルがそれぞれ割り当てられる。
【００３４】
このように構成すると、所望の状態に各フェーダ８−１乃至８−１６に各チャンネルを割り当てるように予め指示データを作成しておけば、以後、各フェーダ８−１乃至８−１６への割り当てを瞬時に行える。なお、指示データが１つでよい場合には、スイッチ３２、３４のいずれか一方にのみ対応させて指示データを記憶させておけばよいし、指示データを３つ以上予め準備する場合には、スイッチ３２、３４を増加させるか、或いは３接点以上の切換スイッチをスイッチ３２、３４に代えて設ければよい。
【００３５】
上記の実施形態のオーディオミキサでは、１つのフェーダに対して２つのチャンネルのいずれかが割り当てられるように構成したが、１つのフェーダに対して更に多くのチャンネルのうちいずれかが割り当てられるように構成することもできる。例えば１つのフェーダに対して４つのチャンネルのうちいずれかを割り当てる場合、上記のオーディオミキサと同様に１６のフェーダ８−１乃至８−１６を設置しているとすると、チャンネル数を６４とし、１６個ずつ横４列に選択スイッチを配置する。この場合、４つの選択スイッチと１つのフェーダとが縦一列となるように配置する。
【００３６】
上記の実施形態のオーディオミキサでは、フェーダ８−１乃至８−１６を、各チャンネルに割り当てたが、フェーダに限ったものではなく、チャンネルで使用するパラメータを発生する操作子であれば、他のものを使用することもできる。また、上記の実施形態では、各選択チャンネル１２−１乃至１２−３２に、スイッチ及び表示装置１４−１乃至１４−３２を設けたが、設置スペースが少ないコンソールの場合には、スイッチ及び表示装置もフェーダ８−１乃至８−１６と同数だけ設け、選択スイッチ１２−１乃至１２−３２のうち操作されたものに対応するスイッチ及び表示装置を、操作された選択スイッチに対応するチャンネルに割り当てることもできる。
【図面の簡単な説明】
【００３７】
【図１】本発明の１実施形態のオーディオミキサの機能ブロック図である。
【図２】図１のオーディオミキサのブロック図である。
【図３】図１のオーディオミキサのコンソールの一部を示す平面図である。
【図４】図１のオーディオミキサのＣＰＵが行う処理のフローチャートである。
【符号の説明】
【００３８】
２−１乃至２−３２  チャンネル
８−１乃至８−１６  フェーダ（操作子）
１２−１乃至１２−３２  選択スイッチ（選択手段）
２４  検出部（制御手段）
２６  アサイン部（制御手段）
【図１】
2008177646.tif 000003
【図２】
2008177646.tif 000004
【図３】
2008177646.tif 000005
【図４】
2008177646.tif 000006